(57)【要約】【課題】夏季の昼間においても火炉のドラフト変動を抑制することができ、誘引通風機入口の動翼開度の制限を緩和することができる電気集塵装置の制御方法を提供すること。【解決手段】押込通風機と誘引通風機とを備えた平衡通風式ボイラシステムの通風系統に設置される電気集塵装置１５の制御方法であり、上記ボイラシステムの運転条件が所定のダンパ開槌打条件（例えば、夏季の昼間において誘引通風機入口の動翼開度が所定値以上）に該当する場合には、第１室１６では、入口ダンパ１９及び出口ダンパ２２を開いた状態かつ荷電状態で前室１６ａ及び中間室１６ｂの集塵極の槌打を行い、上記ダンパ開槌打条件に該当しない場合には、入口ダンパ１９及び出口ダンパ２２を閉じた状態かつ無荷電状態で前室１６ａ、中間室１６ｂ及び後室１６ｃの集塵極の槌打を行う。第１室１６の制御後に第２室１７も同様に制御し、これらの制御を所定時間毎に繰り返し実施する。【選択図】図１
2010022907.tif 000002
【特許請求の範囲】
【請求項１】
燃焼用空気を火炉内に送り込む押込通風機と前記火炉内の圧力の制御を行う誘引通風機とを備えた平衡通風式のボイラシステムの通風系統に設置され、前記火炉からの排ガス中の煤塵を除去する電気集塵装置の制御方法において、
前記電気集塵装置は、ケースの内部が複数に区画され、それぞれが独立して荷電可能な区画室と、当該各区画室に設けられ前記煤塵を捕集する集塵極と、前記排ガスの流通を制御するために当該ケースの入口煙道に設けられた入口ダンパ及び出口煙道に設けられた出口ダンパと、前記集塵極を槌打する集塵極槌打装置と、を備え、
前記ボイラシステムの運転条件が所定のダンパ開槌打条件に該当する場合には、前記入口ダンパ及び前記出口ダンパを開いた状態かつ荷電状態で前記区画室の前記集塵極の槌打を行うダンパ開槌打を所定サイクルで実施し、
前記ボイラシステムの運転条件が前記ダンパ開槌打条件に該当しない場合には、前記入口ダンパ及び前記出口ダンパを閉じた状態かつ無荷電状態で前記区画室の前記集塵極の槌打を行うダンパ閉槌打を所定サイクルで実施することを特徴とする電気集塵装置の制御方法。
【請求項２】
前記ダンパ開槌打を実施する前記区画室は、前記出口ダンパ近傍の前記区画室以外の区画室であることを特徴とする請求項１に記載の電気集塵装置の制御方法。
【請求項３】
前記ダンパ開槌打条件は、前記誘引通風機が備える通風量調節用の動翼またはダンパの開度が所定値以上であることを特徴とする請求項１または２に記載の電気集塵装置の制御方法。
【請求項４】
前記ダンパ開槌打条件は、更に、前記ボイラシステムが適用される発電所の発電出力が所定値以上であること、または前記燃焼用空気の前記押込通風機での入口温度が所定値以上であること、または前記電気集塵装置での煤塵濃度が所定値以下であること、のうちの少なくとも一つ以上を含むことを特徴とする請求項３に記載の電気集塵装置の制御方法。
【発明の詳細な説明】
【技術分野】
【０００１】
本発明は、石炭火力用排ガス処理システムの通風系統に設けられる電気集塵装置の制御方法に関し、更に詳しくは、夏季の昼間においても火炉のドラフト変動を抑制することができ、誘引通風機入口の動翼開度の制限を緩和することができる電気集塵装置の制御方法に関する。
【背景技術】
【０００２】
＜石炭火力用排ガス処理システムの通風系統全体の説明＞
図４は、石炭火力用排ガス処理システムの通風系統の概略構成を示すブロック図である。図４に示すように、いわゆる平衡通風式のボイラシステムは、石炭焚き火力発電所で一般的に用いられている。
【０００３】
このボイラシステムは、燃焼用空気をボイラトップより吸い込み火炉１２に供給する押込通風機（以下、図４においては、ＦＤＦと略記する）１０と、排ガス中の煤塵を除去する電気集塵装置１５（図４においては、ＥＰと略記する）の出口煙道２１（図１参照）からの排ガスを吸引し、煙突４０より大気に放出させる誘引通風機（以下、図４においては、ＩＤＦと略記する）３０との組み合わせによって火炉１２内の圧力を大気圧よりも僅かに下げた状態で燃焼を行っている。
【０００４】
すなわち、平衡通風式ボイラシステムでは、押込通風機１０によって昇圧した空気を火炉１２に供給するとともに、誘引通風機３０によって排ガスを火炉１２から引き出すことにより、火炉１２内部を負圧に保ちながら運転されている。これにより、排ガスや燃焼灰が火炉１２から大気に漏れ出すことを抑制している。
【０００５】
押込通風機１０によって火炉１２へ送り込まれる燃焼用空気は、空気予熱器１１において、火炉１２からの燃焼ガスと熱交換され加熱される。加熱された燃焼用空気は、火炉１２で燃料とともに燃焼して排ガスとなり、排ガス脱硝装置１３によって窒素酸化物が除去される。そして、排ガス脱硝装置１３を経た排ガスは、空気予熱器１１において燃焼用空気と熱交換された後、更に熱回収器（ＧＧＨ）１４によって熱交換される。
【０００６】
熱回収器１４を経た排ガスは、電気集塵装置１５によって煤塵が除去される。煤塵が除去された排ガスは、誘引通風機３０によって排ガス脱硫装置３２、再加熱器３５、昇圧器（図示せず）を経て煙突４０へ導かれ、大気へ放出される。
【０００７】
なお、排ガス脱硫装置３２では、排ガスから硫黄酸化物が除去される。また、再加熱器３５では、排ガスが上記熱回収器１４からの高温の未処理ガスと熱交換され、所定温度まで昇温される。また、押込通風機１０や誘引通風機３０としては、例えば、遠心ファンや軸流ファンが使用される。
【０００８】
ところで、誘引通風機３０の入口圧力は、火炉１２内の燃焼ガスの圧力を制御するために、当該誘引通風機３０の動翼（図示せず）や入口ダンパ（図示せず）の開度を制御することによって調節される。特に、石炭焚きボイラシステムでは、上述のように火炉１２外部への煤塵等の漏れ防止のために、この誘引通風機３０の入口圧力の調節によって火炉１２内の圧力が大気圧より低く維持されている。
【０００９】
誘引通風機３０の上記動翼や上記入口ダンパの開度が大きいほど、当該誘引通風機３０の入口圧力が減少し、火炉１２内の圧力が低下する。一方、誘引通風機３０の上記動翼や上記入口ダンパの開度が小さいほど、誘引通風機３０の入口圧力が増加し、火炉１２内の圧力が増加する。
【００１０】
＜電気集塵装置１５の構成の説明＞
次に、電気集塵装置１５について、図５に基づいて説明する。ここで、図５は、後述するダンパ閉槌打時の電気集塵装置１５の概略構成を示す平面断面図である。図５に示すように、電気集塵装置１５のケース１５ａの内部は、ガス流れ方向に沿って３つに区分された各区（１区、２区、３区）を、ガス流れ方向と垂直な方向に沿って区画板１５ｂによって第１室１６及び第２室１７に分割することで６区画に分割されている。
【００１１】
すなわち、第１室１６は、ガス流れ方向の上流側から下流側に向かって前室１６ａ、中間室１６ｂ、後室１６ｃを区画室として備え、第２室１７も同様に前室１７ａ、中間室１７ｂ、後室１７ｃを区画室として備えている。これら各区画室１６ａ，１６ｂ，１６ｃ，１７ａ，１７ｂ，１７ｃは、それぞれ独立して電極（図示しない集塵極及び放電極）、後述の集塵極槌打装置２４ａ，２４ｂ，２４ｃ，２５ａ，２５ｂ，２５ｃ及び荷電単位を持っている。
【００１２】
また、第１室１６及び第２室１７の入口煙道１８には、それぞれ独立して開閉可能な入口ダンパ１９，２０が設けられている。第１室１６及び第２室１７の出口煙道２１には、それぞれ独立して開閉可能な出口ダンパ２２，２３が設けられている。
【００１３】
すなわち、第１室１６の入口ダンパ１９及び出口ダンパ２２が全閉にされると、第１室１６の入口煙道１８から排ガスは流入せず、出口煙道２１から流出もしない。また、第２室１７の入口ダンパ２０及び出口ダンパ２３が全開にされると、第２室１７の入口煙道１８から排ガスが流入し、出口煙道２１から流出する。このように、入口ダンパ１９，２０及び出口ダンパ２２，２３の開閉制御によって電気集塵装置１５での排ガスの流れが制御される。
【００１４】
電気集塵装置１５では、煤塵を含有する排ガスが入口煙道１８を通り、整流板（図示せず）によって流速分布が均一化された後、放電極と集塵極（ともに図示せず）との間に形成された電場に導入されるようになっている。排ガスの煤塵は、上記電場の電気力によって集塵極に吸引されて集塵される。
【００１５】
上記各区画室１６ａ，１６ｂ，１６ｃ，１７ａ，１７ｂ，１７ｃの集塵極は、集塵極槌打装置２４ａ，２４ｂ，２４ｃ，２５ａ，２５ｂ，２５ｃによってそれぞれ槌打されるように構成されている。そして、その槌打の衝撃力によって集塵極の表面から煤塵が剥離し、ホッパ（図示せず）に落下させられた後、捕集されるように構成されている。
【００１６】
以上のように構成された電気集塵装置１５は、煙道１系統につき２基が並列に設けられており、図４に示した平衡通風式ボイラシステムでは煙道が２系統（図示せず）設けられているため、上記電気集塵装置１５は合計４基設けられている。
【００１７】
＜ダンパ閉槌打の説明＞
次に、電気集塵装置１５の従来のダンパ閉槌打に係る制御方法について、第１室１６を例にして図５及び図６に基づいて説明する。ここで、図６は、ダンパ閉槌打に係る制御方法を示すタイムチャートである。
【００１８】
電気集塵装置１５を運転していると、例えば第１室１６の集塵極には、次第に煤塵が堆積していく。そこで、槌打による煤塵の再飛散を抑制するために、図５及び図６に示すように、排ガスの流れを一時的に遮断し第１室１６の入口ダンパ１９及び出口ダンパ２２を所定のタイミングにて全閉にする。
【００１９】
そして、この排ガスの流れを遮断している間に、前室１６ａ、中間室１６ｂ及び後室１６ｃの集塵極（図示せず）は、無荷電（荷電ＯＦＦ）状態で集塵極槌打装置２４ａ，２４ｂ，２４ｃによって槌打される。以下のこの制御方法を「ダンパ閉槌打」と称することとする。更に、その槌打後に電気集塵装置１５が荷電（荷電ＯＮ）状態にされ、所定の鎮静時間が経過してから入口ダンパ１９及び出口ダンパ２２が全開にされる。
【００２０】
すなわち、上記槌打の衝撃力によって集塵極の表面から煤塵が剥離し、ホッパ（図示せず）に落下してこれに捕集されるとともに、槌打によって飛散した煤塵が電気集塵装置１５の荷電ＯＮによって捕集されてから入口ダンパ１９及び出口ダンパ２２が全開にされるので、煤塵が再飛散して出口煙道２１から流出するのを抑制することができる。入口ダンパ１９及び出口ダンパ２２は、所定の時間をかけながら徐々に開閉される。
【００２１】
なお、上記ボイラシステムでは、電気集塵装置１５が４基設けられており、上記ダンパ閉槌打に要する時間は、電気集塵装置１５の１室当たり約３０分である。従って、ダンパ閉槌打には、１基当たり１時間程度を要し、システム全体では４時間程度を要する。よって、一の電気集塵装置１５では、タイマーにより４時間サイクルで約３０分間ずつ槌打を繰り返す計画となっている。また、放電極（図示せず）の槌打は、集塵極の槌打方法に関係なく入口ダンパ１９及び出口ダンパ２２を開けた状態で行っている。
【００２２】
また、他の公知技術として、電気集塵装置の煙道の出入口に設けられた両ダンパを閉じた状態で、槌打と、所定サイクルで荷電をＯＮにする技術が提案されている（例えば、特許文献１参照）。
【特許文献１】特開平６−１１４２８８号公報
【発明の開示】
【発明が解決しようとする課題】
【００２３】
しかしながら、上記従来のダンパ閉槌打のみによる電気集塵装置１５の制御方法にあっては、上記入口ダンパ１９及び出口ダンパ２２等の開閉毎に火炉１２のドラフト（通気力）が変動するため、誘引通風機３０入口の動翼開度が上昇し、火炉１２内の圧力が低下するので、発電負荷の抑制を強いられる虞があった。特に、大気温度が上昇する夏季の昼間においては発電負荷が最も高まるため、上記ドラフト変動の抑制は極めて重要である。
【００２４】
また、上記特許文献１に係る従来技術にあっては、ダンパ閉時の槌打により集塵極から除去された煤塵の再飛散を抑制できるものの、特に夏季の昼間においてダンパ開閉に伴うドラフト変動を抑制できないという課題があった。
【００２５】
本発明は、上記に鑑みてなされたものであって、夏季の昼間においても火炉のドラフト変動を抑制することができ、誘引通風機入口の動翼開度の制限を緩和することができる電気集塵装置の制御方法を提供することを目的とする。
【課題を解決するための手段】
【００２６】
上記目的を達成するため、（１）本発明は、燃焼用空気を火炉内に送り込む押込通風機と、前記火炉内の圧力の制御を行う誘引通風機とを備えた平衡通風式のボイラシステムの通風系統に設置され、前記火炉からの排ガス中の煤塵を除去する電気集塵装置の制御方法において、前記電気集塵装置は、ケースの内部が複数に区画され、それぞれが独立して荷電可能な区画室と、当該各区画室に設けられ前記煤塵を捕集する集塵極と、前記排ガスの流通を制御するために当該ケースの入口煙道に設けられた入口ダンパ及び出口煙道に設けられた出口ダンパと、前記集塵極を槌打する集塵極槌打装置と、を備え、前記ボイラシステムの運転条件が所定のダンパ開槌打条件に該当する場合には、前記入口ダンパ及び前記出口ダンパを開いた状態かつ荷電状態で前記区画室の前記集塵極の槌打を行うダンパ開槌打を所定サイクルで実施し、前記ボイラシステムの運転条件が前記ダンパ開槌打条件に該当しない場合には、前記入口ダンパ及び前記出口ダンパを閉じた状態かつ無荷電状態で前記区画室の前記集塵極の槌打を行うダンパ閉槌打を所定サイクルで実施することを特徴とする。
【００２７】
（１）の発明によれば、ボイラシステムの運転条件が所定のダンパ開槌打条件（夏季の昼間の運転時に相当する条件）に該当する場合には、ダンパ開槌打を所定サイクルで実施することにより、ダンパ開閉によるドラフト変動を抑制することができる。また、当該ボイラシステムの運転条件が前記ダンパ開槌打条件に該当しない場合には、ドラフト変動が生じる虞が少ないため、通常通りのダンパ閉槌打を所定サイクルで実施する。これにより、夏季の昼間においても火炉のドラフト変動を抑制することができ、誘引通風機入口の動翼開度の制限を緩和することができる。
【００２８】
（２）  （１）の発明においては、前記ダンパ開槌打を実施する前記区画室は、前記下流ダンパ近傍の前記区画室以外の区画室であることが好ましい。
【００２９】
（２）の発明によれば、出口ダンパから離れた区画室でダンパ開槌打を実施することにより、槌打による煤塵が開かれた出口ダンパから更に下流側に再飛散するのを抑制することができる。
【００３０】
（３）  （１）または（２）に記載の発明においては、前記ダンパ開槌打条件は、前記誘引通風機が備える通風量調節用の動翼またはダンパの開度が所定値以上であることが好ましい。
【００３１】
（３）の発明によれば、ダンパ開槌打条件として、夏季の昼間の運転時に生じ易い条件を予め設定しておくことで、夏季の昼間においても火炉のドラフト変動を抑制することができ、誘引通風機入口の動翼開度等の制限を緩和することができる。
【００３２】
（４）  （３）に記載の発明においては、前記ダンパ開槌打条件は、更に、前記ボイラシステムが適用される発電所の発電出力が所定値以上であること、または前記燃焼用空気の前記押込通風機での入口温度が所定値以上であること、または前記電気集塵装置での煤塵濃度が所定値以下であること、のうちの少なくとも一つ以上を含むことが好ましい。
【００３３】
（４）の発明によれば、夏季の昼間の運転時に生じ易い条件を予め更にきめ細かく設定しておくことで、夏季の昼間においても火炉のドラフト変動を更に精度良く抑制することができる。
【発明の効果】
【００３４】
本発明によれば、夏季の昼間においても火炉のドラフト変動を抑制することができ、誘引通風機入口の動翼開度の制限を緩和することができる電気集塵装置の制御方法を提供することができる。
【発明を実施するための最良の形態】
【００３５】
以下に、本発明の実施形態を図面に基づいて詳細に説明する。なお、この実施形態により本発明が限定されるものではない。
【００３６】
本実施形態は、上記電気集塵装置１５の制御方法に特徴を有するものであり、電気集塵装置１５の構成は上記従来技術において説明した電気集塵装置１５と同一である。従って、以下の説明において、既に説明した部材と同一の部材には、同一の符号を付して重複説明を省略または簡略化する。
【００３７】
＜電気集塵装置１５の制御方法の説明＞
次に、電気集塵装置１５の制御方法について図２に基づいて図１、図３及び図４を参照しつつ説明する。ここで、図１は、ダンパ開槌打時の電気集塵装置１５の概略構成を示す平面断面図、図２は、電気集塵装置１５の制御方法を示すフローチャート、図３は、ダンパ開槌打に係る制御方法を示すタイムチャートである。以下の制御は、図示しない電子制御装置によって演算され、自動的に所定サイクルで実行される。
【００３８】
本発明は、冷房の使用等で発電負荷（要求出力）が最も高くなる夏季の昼間において、火炉１２のドラフト変動を抑制するために、後述するダンパ開槌打を精度良く実施することを目的としている。このため、ダンパ開槌打が実施される条件（以下、ダンパ開槌打条件という）を図２のステップＳ１０〜ステップＳ１３に示すようにきめ細かく設定し、夏季の昼間の運転に要求される条件を満たすように設定している。
【００３９】
すなわち、図２に示すように、先ずステップＳ１０において、この発電プラントに要求されている発電出力が所定値Ｐ１以上であるか否かを判定する。この所定値Ｐ１は、火炉１２のドラフト変動が生じ易いと予想される発電出力の閾値であり、発電プラントの設計上の最大出力（ＭＣＲ）あるいは許認可出力（ＥＣＲ）を勘案して予め最適値が設定されている。ステップＳ１０での判定がＹＥＳの場合には、ステップＳ１１に移る。
【００４０】
ステップＳ１１では、押込通風機１０の入口温度が所定値Ｔ１以上であるか否かを判定する。この所定値Ｔ１は、火炉１２のドラフト変動が生じ易いと予想される押込通風機１０の入口温度の閾値であり、発電プラントの仕様に応じて予め最適値が設定されている。ステップＳ１１での判定がＹＥＳの場合には、ステップＳ１２に移る。
【００４１】
ステップＳ１２では、誘引通風機３０の動翼開度が所定値Ｋ１以上であるか否かを判定する。この所定値Ｋ１は、火炉１２のドラフト変動が生じ易いと予想される誘引通風機３０の動翼開度の閾値であり、発電プラントの仕様に応じて予め最適値が設定されている。ステップＳ１２での判定がＹＥＳの場合には、ステップＳ１３に移る。
【００４２】
ステップＳ１３では、煤塵濃度が所定値Ｓ１以下であるか否かを判定する。煤塵濃度は、例えば電気集塵装置１５に設けられた図示しない煤塵濃度検出装置によって検出される。この所定値Ｓ１は、発電プラントに要求される煤塵濃度の閾値（許容値）であり、発電プラントの仕様に応じて予め最適値が設定されている。ステップＳ１３での判定がＹＥＳの場合には、ステップＳ１４に移る。
【００４３】
＜ダンパ開槌打の説明＞
ステップＳ１４では、ダンパ開槌打を実施する。このダンパ開槌打は、図１及び図３に示すように、電気集塵装置１５の第１室１６の前室１６ａ及び中間室１６ｂにおいて、開閉によるドラフト変動を抑制するため入口ダンパ１９及び出口ダンパ２２を全開にし、かつ、荷電状態（ＯＮ状態）で集塵極槌打装置２４ａ，２４ｂによって槌打を行うものである。
【００４４】
また、後室１６ｃでは、荷電状態（ＯＮ状態）にはするものの、集塵極槌打装置２４ｃによる槌打は実施しない。後室１６ｃは、出口ダンパ２２に近いため、槌打によってダストが再飛散しないようにするためである。
【００４５】
また、後室１６ｃを荷電状態（ＯＮ状態）とすることによって、前室１６ａ及び中間室１６ｂの槌打によって飛散した煤塵を当該前室１６ａ及び中間室１６ｂの集塵極で捕集できなかった煤塵を後室１６ｃの集塵極で捕集することができる。
【００４６】
上述のように、このダンパ開槌打が実施される条件（ダンパ開槌打条件）は、上述のステップＳ１０、Ｓ１１、Ｓ１２、Ｓ１３の各判定がＹＥＳの場合である。すなわち、冷房の使用等で発電負荷（要求出力）が最も高くなる夏季の昼間にも対応できるようにダンパ開槌打条件を設定したものである。
【００４７】
このように、ステップＳ１０、Ｓ１１、Ｓ１２、Ｓ１３の各判定がＹＥＳの場合のみをダンパ開槌打条件とし、きめ細かく条件を設定しておくことで、夏季の昼間に起こり易い火炉１２のドラフト変動を精度良く抑制することができる。
【００４８】
以上のように夏季の昼間に入口ダンパ１９及び出口ダンパ２２を全開にして荷電状態で槌打を実施するので、ドラフトが一定となって火炉１２の燃焼が安定するので、誘引通風機３０の動翼開度制限（例えば、開度１００％）を緩和することができる。
なお、上記ダンパ開槌打の制御では、第１室１６を例にして説明したが、第２室１７についても第１室１６の制御後に同様の制御が実施される。
【００４９】
＜ダンパ閉槌打の説明＞
また、上述のステップＳ１０、Ｓ１１、Ｓ１２、Ｓ１３のいずれかの判定がＮＯの場合は、夏季の昼間における運転でない場合に該当する。具体的には、夏季の夜間、及び夏季以外の季節における終日である。すなわち、火炉１２が高負荷運転されず、上述のダンパ閉槌打であってもドラフト変動の虞が少ないと予想される場合である。従って、誘引通風機３０の動翼開度制限は不要であるので、ステップＳ１５において、上述した通常のダンパ閉槌打を実施すればよい。
【００５０】
すなわち、ステップＳ１５では、第１室１６の入口ダンパ１９及び出口ダンパ２２を所定のタイミングにて全閉にする。そして、この排ガスの流れを遮断している間に、前室１６ａ、中間室１６ｂ及び後室１６ｃの集塵極（図示せず）は、無荷電（荷電ＯＦＦ）状態で集塵極槌打装置２４ａ，２４ｂ，２４ｃによって槌打される。そして、その槌打後に電気集塵装置１５が荷電（荷電ＯＮ）状態にされ、所定の鎮静時間が経過してから入口ダンパ１９及び出口ダンパ２２が全開にされる。
なお、上記ダンパ閉槌打の制御では、第１室１６を例にして説明したが、第２室１７についても第１室１６の制御後に同様の制御が実施される。
【００５１】
以上のように、ダンパ開槌打及びダンパ閉槌打を実施することで、排ガスから煤塵を集塵極で捕集して除去できるとともに、集塵極に堆積した煤塵を槌打によって除去し、集塵能力の低下を抑制することができ、更に火炉１２のドラフト変動を効果的に抑制することができる。
【００５２】
なお、上記実施形態では、電気集塵装置１５の構成について、６区分であるものとして説明したが、これに限定されず、６区分未満あるいは６区分以上に区画されたものであってもよい。
【００５３】
また、上記実施形態では、前室１６ａ及び中間室１６ｂにおいてダンパ開槌打を実施するものとして説明したが、これに限定されず、電気集塵装置１５の下流の通風経路において他の煤塵除去手段が設けられている場合には、上記に加え後室１６ｃにおいてもダンパ開槌打を実施してもよい。
【００５４】
また、上記ボイラシステムでは、電気集塵装置１５が４基設けられているものとして説明したが、これに限定されず、４基未満あるいは５基以上設けてもよく、上記実施形態の場合と同様の効果を期待できる。
【００５５】
また、上記実施形態の図２のステップＳ１２では、誘引通風機３０の動翼開度を判断指標として示したが、これに限定されず、誘引通風機３０のダンパ（図示せず）の開度を判断指標としてもよく、上記と同様の効果を期待できる。
【００５６】
また、上記実施形態の図２では、ダンパ開槌打条件として、ステップＳ１０、ステップＳ１１、ステップＳ１２及びステップＳ１３の各判定がＹＥＳの場合であるものとして説明したが、これに限定されず、本発明を適用するボイラプラントの仕様に応じて、これら各ステップの条件から適宜一つ以上を選択し組み合わせたものであってもよい。これによっても、上記実施形態の場合と同様の効果を期待できる。
【図面の簡単な説明】
【００５７】
【図１】ダンパ開槌打時の電気集塵装置の概略構成を示す平面断面図である。
【図２】電気集塵装置の制御方法を示すフローチャートである。
【図３】ダンパ開槌打に係る制御方法を示すタイムチャートである。
【図４】石炭火力用排ガス処理システムの通風系統の概略構成を示すブロック図である。
【図５】ダンパ閉槌打時の電気集塵装置の概略構成を示す平面断面図である。
【図６】ダンパ閉槌打に係る制御方法を示すタイムチャートである。
【符号の説明】
【００５８】
１０  押込通風機
１１  空気予熱器
１２  火炉
１３  排ガス脱硝装置
１４  熱回収器
１５  電気集塵装置
１５ａ  ケース
１５ｂ  区画板
１６  第１室
１６ａ  前室
１６ｂ  中間室
１６ｃ  後室
１７  第２室
１７ａ  前室
１７ｂ  中間室
１７ｃ  後室
１８  入口煙道
１９、２０  入口ダンパ
２１  出口煙道
２２、２３  出口ダンパ
２４ａ、２４ｂ、２４ｃ  集塵極槌打装置
２５ａ、２５ｂ、２５ｃ  集塵極槌打装置
３０  誘引通風機
３２  排ガス脱硫装置
３５  再加熱器
４０  煙突
【図１】
2010022907.tif 000003
【図２】
2010022907.tif 000004
【図３】
2010022907.tif 000005
【図４】
2010022907.tif 000006
【図５】
2010022907.tif 000007
【図６】
2010022907.tif 000008